(57)【特許請求の範囲】
【請求項１】
紙幣が装填される装填部と、
該装填部に装填された紙幣を一枚ずつ分離して繰り出す分離繰出部と、
該分離繰出部で繰り出された紙幣を搬送する搬送部と、
該搬送部で搬送中の紙幣を識別する識別部と、
前記搬送部に接続され前記識別部の識別結果に基づいて受け入れ可能と識別された紙幣を底部のシャッタ上に集積状態で一時貯留させる一時貯留部と、
前記シャッタの開作動によって前記一時貯留部から落下する紙幣を収納させる収納部とを備えた紙幣入金機において、
前記搬送部の前記一時貯留部への接続位置に該一時貯留部に放出される紙幣の後端を下方に叩く羽根車が設けられており、
前記一時貯留部の前記シャッタの開作動時に前記羽根車を回転させることを特徴とする紙幣入金機。
【請求項２】
前記搬送部は、紙幣をその長手方向を搬送方向に沿わせた姿勢で搬送するものであることを特徴とする請求項１記載の紙幣入金機。
【発明の詳細な説明】
【技術分野】
【０００１】
本発明は、紙幣入金機に関し、特にジャムの発生を抑制できる紙幣入金機に関する。
【背景技術】
【０００２】
紙幣入金機では、バラ紙幣が一括して装填部にセットされると、まず、これを分離繰出部で一枚ずつ分離し繰り出して搬送部で搬送する。そして、搬送中の紙幣を識別部で識別して、受け入れ可能と識別されたものを一時貯留部に一時貯留させる。他方で一時貯留部に一時貯留された紙幣に対する識別結果を表示させて、この表示に対し、操作者による確認操作が入力されると、一時貯留部の底部を構成するシャッタを開作動させることによって一時貯留部に集積状態にあった紙幣を落下させて収納部に収納させる（例えば、特許文献１参照）。
【特許文献１】実公平１−９８０５号公報
【発明の開示】
【発明が解決しようとする課題】
【０００３】
上記のような紙幣入金機において、一時貯留部に集積状態で一時貯留された紙幣を、一時貯留部のシャッタを開作動させることで落下させて収納部に受け渡す際に、紙幣の折り癖等によっては、紙幣が一時貯留部の壁部に接触する等して立ち上がってしまうことがあり、このように紙幣が立ち上がるとジャムを生じてしまうことがあった。
【０００４】
したがって、本発明は、一時貯留部から収納部に紙幣を落下させる際に生じる紙幣の立ち上がりを防止することで、ジャムの発生を抑制できる紙幣入金機の提供を目的とする。
【課題を解決するための手段】
【０００５】
上記目的を達成するために、請求項１に係る発明は、紙幣が装填される装填部と、該装填部に装填された紙幣を一枚ずつ分離して繰り出す分離繰出部と、該分離繰出部で繰り出された紙幣を搬送する搬送部と、該搬送部で搬送中の紙幣を識別する識別部と、前記搬送部に接続され前記識別部の識別結果に基づいて受け入れ可能と識別された紙幣を底部のシャッタ上に集積状態で一時貯留させる一時貯留部と、前記シャッタの開作動によって前記一時貯留部から落下する紙幣を収納させる収納部とを備えた紙幣入金機において、前記搬送部の前記一時貯留部への接続位置に該一時貯留部に放出される紙幣の後端を下方に叩く羽根車が設けられており、前記一時貯留部の前記シャッタの開作動時に前記羽根車を回転させることを特徴としている。
【０００６】
請求項２に係る発明は、請求項１に係る発明において、前記搬送部は、紙幣をその長手方向を搬送方向に沿わせた姿勢で搬送するものであることを特徴としている。
【発明の効果】
【０００７】
請求項１に係る発明によれば、一時貯留部のシャッタを開いて一時貯留部の紙幣を収納部に落下させる際に、羽根車を回転させることで、落下する紙幣の羽根車側を羽根車で下方に叩くことができる。これにより、一時貯留部の紙幣が例えば一時貯留部の羽根車側の壁部に接触する等して立ち上がろうとしても、この立ち上がりを防止することができ、良好に紙幣を収納部に落下させることができる。したがって、ジャムの発生を抑制できる。特に、羽根車が、搬送部から一時貯留部に放出される紙幣の後端を下方に叩く際に紙幣を一時貯留部の羽根車側の壁部に当接させて位置を揃える場合には、紙幣の立ち上がりが、ほとんど一時貯留部の羽根車側の壁部側を上側にするように生じるため、落下する紙幣の羽根車側を羽根車で下方に叩くことで紙幣の立ち上がりを一層効果的に防止できる。
【０００８】
請求項２に係る発明によれば、紙幣は、折り目がつけられる場合、大抵が長手方向に直交する方向につけられるため、搬送部が紙幣をその長手方向を搬送方向に沿わせた姿勢で搬送するものであると、一時貯留部の紙幣が羽根車側を高くするように折り癖がついた状態で一時貯留される可能性が高く、このような姿勢で一時貯留されると、一時貯留部から収納部への落下時に空気抵抗等の関係から一時貯留部の羽根車側の壁部側を上側にするように立ち上がり易い。このため、落下する紙幣の羽根車側を羽根車で下方に叩くことで紙幣の立ち上がりを一層効果的に防止できる。
【発明を実施するための最良の形態】
【０００９】
本発明の一実施形態の紙幣入金機を図面を参照して以下に説明する。
本実施形態の紙幣入金機１１は、バラの紙幣Ｓの入金および収納処理を行うことが可能とされるものであるが、さらに収納した紙幣Ｓを出金させるもの等、種々の紙幣入金機に適用可能である。
【００１０】
本実施形態の紙幣入金機１１は、図１に概略的に示すように、機体の前面側の上部にバラ紙幣Ｓが投入される装填部１２が設けられ、この装填部１２の下側に機体内からリジェクト紙幣Ｓが繰り出されるリジェクト口１３が設けられている。
【００１１】
装填部１２は、水平に対し若干後ろ下がりに傾斜してその底をなす台部１５を有しており、この台部１５上に紙幣Ｓが上下方向に集積された状態で装填される。なお、台部１５を水平に配置しても良い。
【００１２】
また、装填部１２には、台部１５の機体奥側上方に機体左右方向に沿って配設された回動軸１６と、この回動軸１６に回動可能に支持されて台部１５の上側で上下に揺動可能とされ、台部１５上に装填された紙幣Ｓを台部１５との間で挟持するビルプレス１７とが設けられている。
【００１３】
装填部１２の機体奥側には、このように台部１５上に装填されたバラ紙幣Ｓを、下側のものから一枚ずつ分離して機体内に繰り出す分離繰出部２０が設けられている。この分離繰出部２０は、装填部１２の台部１５に、台部１５から上部を一部突出させた状態で機体左右方向に沿う軸回りに回転可能に設けられた蹴出ローラ２１と、台部１５よりも機体奥側に蹴出ローラ２１と平行な軸回りに回転可能に設けられた繰出ローラ２２と、この繰出ローラ２２の上側に繰出ローラ２２と平行な軸回りに回転可能に設けられた分離ローラ２３とを有している。分離ローラ２３は、図示せぬワンウエイクラッチによって繰出ローラ２２側が機体奥方に移動する方向の回転が規制され、逆方向の回転のみ許容される。
【００１４】
このような分離繰出部２０は、台部１５上に装填されたバラ紙幣Ｓの最下のものを蹴出ローラ２１で繰出ローラ２２と分離ローラ２３との間に蹴り出し、この蹴り出し時に最下の紙幣Ｓに引きずられて繰出ローラ２２と分離ローラ２３との間に移動した紙幣Ｓを分離ローラ２３で止めて蹴り出された最下の紙幣Ｓのみを繰出ローラ２２で機体方向に繰り出す。
【００１５】
この分離繰出部２０の機体奥側には、分離繰出部２０から繰り出された紙幣Ｓを搬送する搬送部２５が接続されている。この搬送部２５は、図示は略すが紙幣を案内する複数のガイド板と搬送ローラと振分部材等で構成されるもので、分離繰出部２０から略水平に沿って機体奥側に延出した後に下側に折り返し略水平に沿って機体手前側に延出してリジェクト口１３に接続される搬送路２６と、この搬送路２６の途中から前下がりに延出する搬送路２７とを有しており、搬送路２６には、搬送中の紙幣Ｓの金種、真偽、正損および搬送異常の識別と計数とを行う識別部３０が設けられている。
【００１６】
搬送部２５の搬送路２７の端末位置には、識別部３０により真紙幣かつ正紙幣で正常搬送と識別された紙幣Ｓを金種混合で一時貯留させる一時貯留部３２が接続されている。なお、搬送部２５の搬送路２７は、図２に示すように、その端末位置つまり一時貯留部３２への接続位置に、搬送方向に対する直交方向に沿い且つ搬送される紙幣Ｓに平行をなす搬送ローラ３４と、この搬送ローラ３４の下側にこの搬送ローラ３４と平行に設けられた羽根車３５とを有している。羽根車３５には複数の羽部３６が等間隔で放射状に形成されており、回転時にこれらの羽部３６の一部が一時貯留部３２内で旋回する。具体的に羽根車３５は一時貯留部３２内の羽部３６を下方に移動させる方向（図の反時計回り方向）に回転することになる。
【００１７】
さらに、一時貯留部３２の下側には、一時貯留部３２に一時貯留された紙幣Ｓを上部開口から受け入れて収納させる収納金庫（収納部）４０が設けられている。
【００１８】
なお、装填部１２には、紙幣Ｓが分離繰出部２０の分離繰出方向に長手方向を沿わせる姿勢で装填されることになり、搬送部２５は紙幣Ｓをその長手方向を搬送方向に沿わせた姿勢で搬送し、その長手方向を放出方向に沿わせた姿勢で一時貯留部３２およびリジェクト口１３のいずれかに放出させる。
【００１９】
一時貯留部３２は、搬送路２７の放出方向前方に鉛直に立設された前壁部４２と、搬送路２７の放出方向後側に鉛直に立設された後壁部（壁部）４３と、これら前壁部４２および後壁部４３の左右同側同士を接続させる鉛直に立設された一対の側壁部４４（各図面では断面とした関係上一方のみ図示）とを有する角筒状の壁部構成体４５と、角筒状の壁部構成体４５の下部開口を開閉させるとともに閉時に一時貯留部３２の底部を構成するシャッタ４６とを有している。ここで、シャッタ４６は、一対の側壁部４４の中央位置で分割された形状をなし互いに近接して壁部構成体４５の下部開口を閉塞するとともに互いに離間する方向に水平移動することで壁部構成体４５の下部開口を開放する一対のシャッタ部材４７（各図面では断面とした関係上一方のみ図示）で構成されている。
【００２０】
上記した羽根車３５は、後壁部４３の上部外側に回転中心が設けられており、複数の羽部３６を同時に後壁部４３から前壁部４２側に突出させ、しかも回転時に羽部３６の先端がシャッタ４６に接触せず且つシャッタ４６の近傍で移動するように寸法が設定されている。
【００２１】
紙幣入金機１１には、さらに、上記した分離繰出部２０、搬送部２５、識別部３０、シャッタ４６等を制御する制御部５０と、操作者への表示を行う表示部５１と、操作者による操作入力が行われる操作部５２とが設けられている。
【００２２】
以上の紙幣入金機１１では、操作者が装填部１２のビルプレス１７を持ち上げてこれと台部１５との間に紙幣Ｓを、その長手方向を機体前後方向に沿わせた状態で装填する。このとき、金種混合の装填および単一金種の装填のいずれも可能である。そして、操作者が操作部５２に入金開始を操作を入力すると、制御部５０が分離繰出部２０と搬送部２５とを駆動する。すると、装填部１２に装填された紙幣Ｓが最下のものから一枚ずつ機内に繰り出され、搬送部２５で搬送される。その途中で識別部３０により受け入れ可能と識別された紙幣Ｓが一時貯留部３２内に放出され、それ以外の紙幣Ｓがリジェクト口１３に放出される。なお、リジェクト口１３に放出された紙幣Ｓはそのまま機外へ取り出し可能となる。
【００２３】
そして、搬送ローラ３４と羽根車３５とで一時貯留部３２に放出される際に、紙幣Ｓは、羽根車３５で後端部が下方に叩かれ、しかも羽根車３５の摩擦力で後端部が後壁部４３に当接させられることになる。このようにして、一時貯留部３２に順次放出される紙幣Ｓは、図３に示すように、後壁部４３で後端部が取り揃えられて順次下から上へと集積されて行く。
【００２４】
上記のようにして、装填部１２に装填された紙幣Ｓが、リジェクト口１３および一時貯留部３２のいずれかに放出されることですべてなくなると、制御部５０は、分離繰出部２０および搬送部２５を停止させて、識別部３０の識別結果に基づいて一時貯留部３２に一時貯留された紙幣Ｓの識別結果を表示部５１に表示させる。この表示を見て操作者がキャンセル操作を操作部５２に入力すると、制御部５０は図示略の扉を開放可能とし、操作者が扉を開いて直接一時貯留部３２の紙幣Ｓを取り出すことになる。
【００２５】
他方、表示を見て操作者が承認操作を操作部５２に入力すると、制御部５０は、停止していた羽根車３５を上記と同様に一時貯留部３２内の羽部３６が下方に移動する方向に回転させると同時にシャッタ４６を開作動させる、つまり両シャッタ部材４７を相反方向にスライドさせる。すると、シャッタ部材４７の離間で開放された一時貯留部３２の下部開口から、図４に示すように、紙幣Ｓが下方に落下することになるが、このとき、落下初期において、回転する羽根車３５の羽部３６が落下する紙幣Ｓの羽根車３５側を上側から下方に叩くことになる。このようにして、一時貯留部３２にあった紙幣Ｓが収納金庫４０に収納されることになり、紙幣Ｓが確実に収納金庫４０に受け渡されるタイミングで制御部５０は羽根車３５を停止させるとともにシャッタ４６を閉状態に戻すことになる。
【００２６】
以上に述べた本実施形態の紙幣入金機１１によれば、一時貯留部３２のシャッタ４６を開いて一時貯留部３２の紙幣Ｓを収納金庫４０に落下させる際に、羽根車３５を回転させることで、落下する紙幣Ｓの羽根車３５側を羽根車３５で下方に叩くことができる。これにより、一時貯留部３２の紙幣Ｓが例えば一時貯留部３２の羽根車３５側の後壁部４３に接触して立ち上がろうとしても、この立ち上がりを防止することができ、良好に紙幣Ｓを収納金庫４０に落下させることができる。したがって、ジャムの発生を抑制できる。特に、上記したように、羽根車３５が、搬送部２５から一時貯留部３２に放出される紙幣Ｓの後端を下方に叩く際に紙幣Ｓを一時貯留部３２の羽根車３５側の後壁部４３に当接させて位置を揃える場合には、紙幣Ｓの立ち上がりが、ほとんど、接触する一時貯留部３２の羽根車３５側の後壁部４３側を上側にするように生じるため、落下する紙幣Ｓの羽根車３５側を羽根車３５で下方に叩くことで紙幣Ｓの立ち上がりを一層効果的に防止できる。
【００２７】
しかも、紙幣Ｓは、折り目がつけられる場合、大抵が長手方向に直交する方向につけられるため、上記のように、搬送部２５が紙幣Ｓをその長手方向を搬送方向に沿わせた姿勢で搬送するものであると、図３に示すように、一時貯留部３２の紙幣Ｓが羽根車３５側を高くするように折り癖がついた状態で一時貯留される可能性が高く、このような姿勢で一時貯留されると、一時貯留部３２から収納金庫４０への落下時に空気抵抗等の関係から一時貯留部３２の後壁部４３側を上側にするように立ち上がり易い。このため、落下する紙幣Ｓの羽根車３５側を羽根車３５で下方に叩くことで紙幣Ｓの立ち上がりを一層効果的に防止できる。
【００２８】
なお、一時貯留部３２から収納金庫４０に紙幣Ｓを落下させる際に、上記のように、シャッタ部材４７のスライドと羽根車３５の回転とを同時に開始させる以外にも、落下する紙幣Ｓの後端部を羽根車３５で叩くことができるタイミングであれば、シャッタ部材４７のスライド途中で羽根車３５の回転を開始させても良い。
【図面の簡単な説明】
【００２９】
【図１】本発明の一実施形態の紙幣入金機を概略的に示す側断面図である。
【図２】本発明の一実施形態の紙幣入金機の要部を示す側断面図である。
【図３】本発明の一実施形態の紙幣入金機の要部を示す側断面図であって紙幣の一時貯留時の状態を示すものである。
【図４】本発明の一実施形態の紙幣入金機の要部を示す側断面図であって紙幣の一時貯留部から収納金庫への落下時の状態を示すものである。
【符号の説明】
【００３０】
１１  紙幣入金機
１２  装填部
２０  分離繰出部
２５  搬送部
３０  識別部
３２  一時貯留部
３５  羽根車
４０  収納金庫（収納部）
４３  後壁部（壁部）
４６  シャッタ
【図１】
0004619922.tif 000002
【図２】
0004619922.tif 000003
【図３】
0004619922.tif 000004
【図４】
0004619922.tif 000005